(57)【要約】      （修正有）【課題】燃料極内の置換を簡易な構成で短時間で行う事のできる燃料電池及び気体移動方法を提供する。【解決手段】燃料極11と酸化剤極12と燃料極及び酸化剤極に挟持された固体高分子電解質膜13から構成される発電部1と、発電部外部に配置され、燃料を貯蔵し、発電部1へ着脱可能な着脱機構を有するカートリッジである燃料供給部2と、燃料供給部と燃料極とを連通し燃料極に対して燃料を供給するために用いられる燃料流路22と、燃料極外部に配置され接続流路31を介して燃料極と連通され、第１位置(a)と第２位置(b)のいずれか一方から他方に移動する可動部33を備える排出室3を備え、可動部33が第１位置(a)から第２位置(b)に移動したときに、燃料極内部の気体を排出室3に移動させる気体移動機構を有する燃料電池及び気体移動方法である。【選択図】図５
2011165518.tif 000002
【特許請求の範囲】
【請求項１】
燃料極と酸化剤極と前記燃料極及び前記酸化剤極に挟持された固体高分子電解質膜から構成される発電部と、
前記発電部外部に配置され、燃料を貯蔵する燃料供給部と、
前記燃料供給部と前記燃料極とを連通し前記燃料極に対して前記燃料を供給するために用いられる燃料流路と、
前記燃料極外部に配置され接続流路を介して前記燃料極と連通され、第１位置と第２位置のいずれか一方から他方に移動する可動部を備える排出室を備え、
前記可動部が前記第１位置から前記第２位置に移動したときに、前記燃料極内部の気体を前記排出室に移動させる気体移動機構を有することを特徴とする燃料電池。
【請求項２】
前記接続流路は、前記燃料極内部の気体を前記排出室に排出する開状態と前記燃料極内部の気体を前記排出室に排出しない閉状態とのどちらかを維持する接続弁を備えることを特徴とする請求項１に記載の燃料電池。
【請求項３】
前記排出室は、前記排出室内部の気体を前記排出室外部に排出する開状態と前記排出室内部の気体を前記発電部外部に排出しない閉状態のどちらかを維持する排出弁を備えることを特徴とする請求項１または請求項２のいずれか１項に記載の燃料電池。
【請求項４】
前記接続弁が閉状態であり前記排出弁が開状態であるときに前記可動部が前記第２位置から前記第１位置に移動したときに、前記排室内部の気体を前記排出室外部に放出するものであることを特徴とする請求項３に記載の燃料電池。
【請求項５】
前記燃料供給部は、前記発電部へ着脱可能な着脱機構を有するカートリッジであり、
前記カートリッジを着脱するときに用いられる力を前記可動部へ伝える伝達機構を備え、
前記可動部は、前記伝達機構により前記第１位置から前記第２位置へ移動させられることを特徴とする請求項４に記載の燃料電池。
【請求項６】
前記燃料供給部を覆い開閉する蓋体を備え、
前記蓋体を開閉するときに用いられる力を前記可動部へ伝える伝達機構を備え、
前記可動部は、前記伝達機構により前記第１位置から前記第２位置へ移動させられることを特徴とする請求項４に記載の燃料電池。
【請求項７】
前記発電部と前記発電部で発電した電力を使用する使用機器によって構成される電気回路の一部を任意に接続状態と短絡状態に切り替えるスイッチと、
前記スイッチを短絡状態から接続状態へ移行するときに用いられる力を前記可動部へ伝える伝達機構を備え、
前記可動部は、前記伝達機構により前記第１位置から前記第２位置へ移動することを特徴とする請求項４に記載の燃料電池。
【請求項８】
前記発電部と前記発電部で発電した電力を使用する使用機器によって構成される電気回路の一部を任意に接続状態と短絡状態に切り替えるスイッチと、
前記発電部で発電された電力を蓄電する蓄電部と、
前記蓄電部に蓄えられた電力を利用して前記可動部の移動を行う電動部と、
前記電気回路の接続状態と短絡状態を検知し、前記電動部を制御する制御部を備え、
前記制御部は前記電気回路が短絡状態から接続状態になったときに前記可動部を前記第１位置から前記第２位置へと移動させることを特徴とする請求項４に記載の燃料電池。
【請求項９】
前記接続弁は前記排出室から前記燃料極への前記気体の移動を抑止する逆止弁であることを特徴とする請求項２乃至８のいずれか１項に記載の燃料電池。
【請求項１０】
前記排出弁は、前記排出室外部から前記排出室内部への前記気体の移動を抑止する逆止弁であることを特徴とする請求項３乃至８のいずれか１項に記載の燃料電池。
【請求項１１】
前記燃料流路は、前記燃料を前記燃料極に供給する開状態と前記燃料を供給しない閉状態のどちらかを維持する燃料弁を備えることを特徴とする請求項１乃至１０のいずれか１項に記載の燃料電池。
【請求項１２】
燃料電池で用いられる気体移動方法であって、
前記燃料電池は、
燃料極と酸化剤極と前記燃料極及び前記酸化剤極に挟持された固体高分子電解質膜から構成される発電部と、
前記発電部外部に配置され、燃料を貯蔵する燃料供給部と、
前記燃料供給部と前記燃料極とを連通し前記燃料極に対して前記燃料を供給するために用いられる燃料流路と、
前記燃料極外部に配置され接続流路を介して前記燃料極と連通され、第１位置と第２位置のいずれか一方から他方に移動する可動部を備える排出室とを備え、
前記可動部が前記第１位置から前記第２位置に移動したときに、前記燃料極内部の気体を前記排出室に移動させる気体移動ステップを含むことを特徴とする気体移動方法。
【請求項１３】
前記燃料電池で用いられる気体移動方法であって、
前記燃料電池は、前記燃料供給部である前記発電部へ着脱可能な着脱機構を有するカートリッジと、
前記カートリッジを着脱するときに用いられる力を前記可動部へ伝える伝達機構とを備え、
前記気体移動ステップは、前記可動部が前記伝達機構により前記第１位置から前記第２位置へ移動させられたときに、前記燃料極内部の気体を前記排出室に移動させることを特徴とする請求項１２に記載の気体移動方法。
【請求項１４】
前記燃料電池で用いられる気体移動方法であって、
前記燃料電池は、前記燃料供給部を覆い開閉する蓋体と、
前記蓋体を開閉するときに用いられる力を前記可動部へ伝える伝達機構とを備え、
前記気体移動ステップは、前記可動部が前記伝達機構により前記第１位置から前記第２位置へ移動させられたときに、前記燃料極内部の気体を前記排出室に移動させることを特徴とする請求項１２に記載の気体移動方法。
【請求項１５】
前記燃料電池で用いられる気体移動方法であって、
前記燃料電池は、前記発電部と前記発電部で発電した電力を使用する使用機器によって構成される電気回路の一部を任意に接続状態と短絡状態に切り替えるスイッチと、
前記スイッチを短絡状態から接続状態へ移行するときに用いられる力を前記可動部へ伝える伝達機構とを備え、
前記気体移動ステップは、前記可動部が前記伝達機構により前記第１位置から前記第２位置へ移動させられたときに、前記燃料極内部の気体を前記排出室に移動させることを特徴とする請求項１２に記載の気体移動方法。
【請求項１６】
前記燃料電池で用いられる気体移動方法であって、
前記燃料電池は、前記発電部と前記発電部で発電した電力を使用する使用機器によって構成される電気回路の一部を任意に接続状態と短絡状態に切り替えるスイッチと、
前記発電部で発電された電力を蓄電する蓄電部とを備え、
前記気体移動ステップは、前記電気回路の接続状態と短絡状態を検知する検知ステップと、
前記検知ステップの検知結果に基づいて前記蓄電部に蓄えられた電力を利用して前記可動部の移動を行う制御ステップとを含み、
前記制御ステップは、前記電気回路が短絡状態から接続状態になったときに、前記可動部が前記制御部により前記第１位置から前記第２位置へ移動させられたときに、前記燃料極内部の気体を前記排出室に移動させることを特徴とする請求項１２に記載の気体移動方法。
【発明の詳細な説明】
【技術分野】
【０００１】
本発明は電子機器等の電源として使用される燃料電池及び気体移動方法に関する。
【背景技術】
【０００２】
現在燃料電池には多数の方式が存在するが、電子機器に用いられる燃料電池は、そのシステムの小形化・簡素化が容易である事から固体高分子形燃料電池の適用が有望である。
【０００３】
固体高分子形燃料電池は、固体高分子電解質膜を挟んで両側に燃料極と酸化剤極を有する。燃料極側に水素等の燃料気体を供給し、酸化剤極側に酸化剤気体、例えば酸素や空気を供給し、これらの電気化学反応により電力を発生する。
【０００４】
このような固体高分子形燃料電池システムの発電において、燃料極内に酸化剤極側から電解質膜を介し、空気に含まれる燃料気体以外の気体（不純気体）が混入している場合、燃料極側の燃料気体濃度が低下する事によって、発電性能が著しく低下する。このため、燃料極内の不純気体を排出して燃料気体濃度を高めて起動する必要がある。
【０００５】
そこで燃料気体濃度を高める方法として、燃料極内の不純気体を燃料気体に置換する方法が開示されている。（例えば、特許文献１）
【先行技術文献】
【特許文献】
【０００６】
【特許文献１】特開２００３−３３１８８８号公報
【発明の概要】
【発明が解決しようとする課題】
【０００７】
しかしながら、燃料極内の流路は単純な円筒状ではなく、特許文献１に記載のような燃料極内に水素をフローさせるという置換方法では、燃料極内を高濃度に水素置換する為には時間がかかってしまう。そのため、他方式の燃料電池に対する固体高分子形燃料電池の長所の１つである、起動時間の短さという特徴が損なわれてしまう。また燃料極内に侵入してくる不純気体には酸素も含まれており、酸素が燃料極内に存在している状態で水素を供給すると、燃料極の触媒が劣化する可能性が高い。この劣化に対する防止策として、燃料極内に一度窒素やアルゴン等の不活性気体をフローさせ、その後水素を供給するという手段もあるが、この方法によるとフローのプロセスが２段階になり燃料極内の不純気体を燃料気体に置換するために要する時間が増すとともに、不活性気体の供給手段を燃料電池に備える必要がある為、燃料電池システムが大形化してしまう。
【０００８】
そこで、本発明は上記点に鑑みてなされたものであり、燃料極内の不純気体の排除（パージ）を簡易な構成で短時間で行う事のできる燃料電池を提供することを目的とする。
【課題を解決するための手段】
【０００９】
上記課題を解決するための、本発明の第１の特徴は、燃料極と酸化剤極と燃料極及び酸化剤極に挟持された固体高分子電解質膜から構成される発電部と、発電部外部に配置され、燃料を貯蔵する燃料供給部と、燃料供給部と燃料極とを連通し燃料極に対して燃料を供給するために用いられる燃料流路と、燃料極外部に配置され接続流路を介して燃料極と連通され、第１位置と第２位置のいずれか一方から他方に移動する可動部を備える排出室を備え、可動部が第１位置から第２位置に移動したときに、燃料極内部の気体を排出室に移動させる気体移動機構を有することを要旨とする。
【００１０】
かかる特徴によれば、可動部が第１位置から第２位置に移動したときに、燃料極内部の不純気体を排出室へと移動することによりパージを行える為、短時間で燃料極内の不純気体濃度を低くする事が出来る。
【００１１】
本発明の第２の特徴は、本発明の第１の特徴に記載の燃料電池において、接続流路は、燃料極内部の気体を排出室に排出する開状態と燃料極内部の気体を排出室に排出しない閉状態とのどちらかを維持する接続弁を備えることを要旨とする。
【００１２】
かかる特徴によれば、排出室へと移動させた不純気体が燃料極内部へと逆流することがない為、低い不純気体濃度を維持することが出来る。
【００１３】
本発明の第３の特徴は、本発明の第１乃至２の特徴に記載の燃料電池において、排出室は、排出室内部の気体を排出室外部に排出する開状態と排出室内部の気体を発電部外部に排出しない閉状態のどちらかを維持する排出弁を備えることを要旨とする。
【００１４】
かかる特徴によれば、排出室に移動した不純気体を発電部外部へと排出させる事により、燃料極内の不純気体のパージを繰り返し行う事が出来る為に、燃料極内を低い不純気体濃度の状態で長時間維持することが出来る。また、排出弁を所望のタイミングで開閉させることが可能であるため、排出室外部の安全を確保した状態で不純気体を排出室外部へ排出することができる。
【００１５】
本発明の第４の特徴は、本発明の第３の特徴に記載の燃料電池において、接続弁が閉状態であり排出弁が開状態であるときに可動部が第２位置から第１位置に移動したときに、排室内部の気体を排出室外部に放出するものであることを要旨とする。
【００１６】
かかる特徴によれば、可動部が第２位置から第１位置へ移動する事により、排出室内の不純気体が燃料極内部へと逆流することなく発電部外部へと排出され、且つ次のパージの準備に要する時間を短くすることが出来る。
【００１７】
本発明の第５の特徴は、本発明の第４の特徴に記載の燃料電池において、燃料供給部は、発電部へ着脱可能な着脱機構を有するカートリッジであり、カートリッジを着脱するときに用いられる力を可動部へ伝える伝達機構を備え、可動部は、伝達機構により第１位置から第２位置へ移動させられることを要旨とする。
【００１８】
かかる特徴によれば、カートリッジの交換作業時に同時に燃料極内の不純気体のパージの作業を行える為、パージをより円滑且つ簡便に行う事が出来る。
【００１９】
本発明の第６の特徴は、本発明の第４の特徴に記載の燃料電池において、燃料供給部を覆い開閉する蓋体を備え、蓋体を開閉するときに用いられる力を可動部へ伝える伝達機構を備え、可動部は、伝達機構により第１位置から第２位置へ移動させられることを要旨とする。
【００２０】
かかる特徴によれば、燃料供給部に係る作業時に蓋体を開閉する事によって燃料極内の不純気体のパージの作業も同時に行える為、パージをより円滑且つ簡便に行う事が出来る。
【００２１】
本発明の第７の特徴は、本発明の第４の特徴に記載の燃料電池において、発電部と発電部で発電した電力を使用する使用機器によって構成される電気回路の一部を任意に接続状態と短絡状態に切り替えるスイッチと、スイッチを短絡状態から接続状態へ移行するときに用いられる力を可動部へ伝える伝達機構を備え、可動部は、伝達機構により第１位置から第２位置へ移動することを要旨とする。
【００２２】
かかる特徴によれば、燃料電池を作動させる時に同時に燃料極内の不純気体のパージの作業を行える為、パージををより円滑且つ簡便に行う事が出来る。
【００２３】
本発明の第８の特徴は、本発明の第４の特徴に記載の燃料電池において、発電部と発電部で発電した電力を使用する使用機器によって構成される電気回路の一部を任意に接続状態と短絡状態に切り替えるスイッチと、発電部で発電された電力を蓄電する蓄電部と、蓄電部に蓄えられた電力を利用して可動部の移動を行う電動部と、電気回路の接続状態と短絡状態を検知し、電動部を制御する制御部を備え、制御部は電気回路が短絡状態から接続状態になったときに可動部を第１位置から第２位置へと移動させることを要旨とする。
【００２４】
かかる特徴によれば、燃料電池を作動させる時に同時に燃料極内の不純気体のパージの作業を行える為、パージをより円滑且つ簡便に行う事が出来る。
【００２５】
本発明の第９の特徴は、本発明の第２乃至７の特徴に記載の燃料電池において、接続弁は排出室から燃料極への気体の移動を抑止する逆止弁であることを要旨とする。
【００２６】
かかる特徴によれば、排出室内の圧力と燃料極内の圧力との関係により、接続弁が開閉するため、接続弁の開閉の制御を発電部外部から行う必要がなく、より簡便に燃料極の不純気体のパージの作業を行う事が出来る。
【００２７】
本発明の第１０の特徴は、本発明の第３乃至８の特徴に記載の燃料電池において、排出弁は、排出室外部から排出室内部への気体の移動を抑止する逆止弁であることを要旨とする。
【００２８】
かかる特徴によれば、排出室内の圧力が大気圧よりも高くなったときに排出室内の不純気体が発電部外部へ排出される。排出弁の制御を発電部外部から行う必要がなく、より簡便に燃料極の不純気体のパージの作業を行う事が出来る。
【００２９】
本発明の第１１の特徴は、本発明の第１乃至９の特徴に記載の燃料電池において、燃料流路は、燃料を燃料極に供給する開状態と燃料を供給しない閉状態のどちらかを維持する燃料弁を備えることを要旨とする。
【００３０】
かかる特徴によれば、燃料極内の不純気体のパージ作業中に燃料極内部への燃料の供給を停止することが可能となり、不純気体と同時に余分な燃料を燃料極の外部に排出することがなく、燃料の節約をしながらパージをする事が出来る。
【００３１】
本発明の第１２の特徴は、燃料電池で用いられる気体移動方法であって、燃料電池は、燃料極と酸化剤極と燃料極及び酸化剤極に挟持された固体高分子電解質膜から構成される発電部と、発電部外部に配置され、燃料を貯蔵する燃料供給部と、燃料供給部と燃料極とを連通し燃料極に対して燃料を供給するために用いられる燃料流路と、燃料極外部に配置され接続流路を介して燃料極と連通され、第１位置と第２位置のいずれか一方から他方に移動する可動部を備える排出室とを備え、可動部が第１位置から第２位置に移動したときに、燃料極内部の気体を排出室に移動させる気体移動ステップを含むことを要旨とする。
【００３２】
かかる特徴によれば、可動部が第１位置から第２位置に移動したときに、燃料極内の不純気体を排出室へと移動することにより燃料極内の不純気体のパージを行える為、短時間で燃料極内の不純気体濃度を低くする事が出来る。
【００３３】
本発明の第１３の特徴は、本発明の第１２の特徴に記載の気体移動方法において、燃料電池で用いられる気体移動方法であって、燃料電池は、燃料供給部である発電部へ着脱可能な着脱機構を有するカートリッジと、カートリッジを着脱するときに用いられる力を可動部へ伝える伝達機構とを備え、気体移動ステップは、可動部が伝達機構により第１位置から第２位置へ移動させられたときに、燃料極内部の気体を排出室に移動させることを要旨とする。
【００３４】
かかる特徴によればカートリッジの交換作業時に同時に燃料極内の不純気体のパージの作業を行える為、パージをより円滑且つ簡便に行う事が出来る。
【００３５】
本発明の第１４の特徴は、本発明の第１２の特徴に記載の気体移動方法において、燃料電池で用いられる気体移動方法であって、燃料電池は、燃料供給部を覆い開閉する蓋体と、蓋体を開閉するときに用いられる力を可動部へ伝える伝達機構とを備え、気体移動ステップは、可動部が伝達機構により第１位置から第２位置へ移動させられたときに、燃料極内部の気体を排出室に移動させることを要旨とする。
【００３６】
かかる特徴によれば燃料供給部に係る作業時に蓋体を開閉する事によって燃料極内の不純気体のパージの作業も同時に行える為、パージをより円滑且つ簡便に行う事が出来る。
【００３７】
本発明の第１５の特徴は、本発明の第１２の特徴に記載の気体移動方法において、燃料電池で用いられる気体移動方法であって、燃料電池は、発電部と発電部で発電した電力を使用する使用機器によって構成される電気回路の一部を任意に接続状態と短絡状態に切り替えるスイッチと、スイッチを短絡状態から接続状態へ移行するときに用いられる力を可動部へ伝える伝達機構とを備え、気体移動ステップは、可動部が伝達機構により第１位置から第２位置へ移動させられたときに、燃料極内部の気体を排出室に移動させることを要旨とする。
【００３８】
かかる特徴によれば、燃料電池を作動させる時に同時に燃料極内の不純気体のパージの作業を行える為、パージをより円滑且つ簡便に行う事が出来る。
【００３９】
本発明の第１６の特徴は、本発明の第１６の特徴に記載の気体移動方法において、燃料電池で用いられる気体移動方法であって、燃料電池は、発電部と発電部で発電した電力を使用する使用機器によって構成される電気回路の一部を任意に接続状態と短絡状態に切り替えるスイッチと、発電部で発電された電力を蓄電する蓄電部とを備え、気体移動ステップは、電気回路の接続状態と短絡状態を検知する検知ステップと、検知ステップの検知結果に基づいて蓄電部に蓄えられた電力を利用して可動部の移動を行う制御ステップとを含み、制御ステップは、電気回路が短絡状態から接続状態になったときに、可動部が制御部により第１位置から第２位置へ移動させられたときに、燃料極内部の気体を排出室に移動させることを要旨とする。
【００４０】
かかる特徴によれば燃料電池を作動させる時に同時に燃料極内の不純気体のパージの作業を行える為、パージをより円滑且つ簡便に行う事が出来る。
【発明の効果】
【００４１】
本発明によれば、簡便な操作及び構成で燃料極内の不純気体のパージを行う事が出来る。
【図面の簡単な説明】
【００４２】
【図１】本実施の形態１における燃料電池１００の外観図である。
【図２】本実施の形態１における燃料電池１００の概略構成図である。
【図３】図２の破線で囲んだ燃料電池１００の単セル１ａの拡大図である。
【図４】排出室の概略構成図である。
【図５】本実施の形態１における燃料電池１００の各動作における状態図である。
【図６】本実施の形態１における燃料極内の不純気体のパージ作業のフロー図である。
【図７】本実施の形態１における別の構造を示す構成図である。
【図８】本実施の形態１における別の構造の場合の燃料極内の不純気体のパージ作業のフロー図である。
【図９】本実施の形態２における燃料電池２００の概略構成図である。
【図１０】本実施の形態２における蓋体の動作を示す構成図である。
【図１１】本実施の形態２における可動部の構成図である。
【図１２】本実施の形態２における排出室の動作の構成図である。
【図１３】本実施の形態２における燃料極内の不純気体のパージ作業のフロー図である。
【図１４】本実施の形態２における別の構造の場合の燃料極内の不純気体のパージ作業のフロー図である。
【図１５】本実施の形態３における燃料電池３００の外観図である。
【図１６】本実施の形態３における排出室の動作の概略構成図である。
【図１７】本実施の形態３における燃料極内の不純気体のパージ作業のフロー図である。
【図１８】本実施の形態４における燃料電池４００の概略構成図である。
【図１９】本実施の形態４における燃料極内の不純気体のパージ作業のフロー図である。
【発明を実施するための形態】
【００４３】
以下に、本発明の実施の形態を説明する。
【００４４】
（実施の形態１）
図１は本実施の形態１における燃料電池１００の外観を示す。図２は図１の燃料電池１００の構成部材を簡略化して表した構成図を示す。図３は図２の破線で囲んだ燃料電池１００の単セル１ａの拡大図である。
【００４５】
図１、２を用いて本実施の形態における燃料電池の構造を説明する。
図１、２に示すように、燃料電池１００は、大別して発電部１と燃料供給部２と排出室３によって構成される。
【００４６】
発電部１は、燃料極１１と、酸化剤極１２と、燃料極１１と酸化剤極１２とに挟持された固体高分子電解質膜１３とから構成される単セル１ａの集合体によって構成される。なお、図２では単セル１ａが複数積層されたスタック構造となっているが、本発明は単セル１ａのみによって構成される燃料電池１００においても適用される。発電部１の外部には発電をするための燃料２１を内部に保持する燃料供給部２が備えられる。燃料極１１と燃料供給部２は、内部が流路構造になっており気体の供給が可能である燃料流路２２によって接続される。排出室３は発電部１の外部に備えられ、発電部１と接続流路３１を介して接続される。排出室３は一部が可動する可動部３３が備えられており、可動部３３は燃料供給部１と伝達機構３４を介して接続される。
【００４７】
図２、３を用いて、本実施の形態における燃料電池の構造を詳細に説明する。
電解質膜１３の両側表面には触媒が担持された炭素で構成された触媒層が形成されている。ここで触媒の例としては白金粒子を担持させた触媒、ルテニウムとセレンの合金触媒などが挙げられるが、水素に対して触媒活性を有するものであれば特にこれに限らない。触媒層表面には触媒層に対する燃料の拡散性を確保しながら導電性を得るガス拡散層（ＧＤＬ）が形成される。ガス拡散層は多孔質の導電材料であり、最も多く用いられる例として炭素繊維が挙げられる。またガス拡散層は多孔質である事からバルクの金属程の高い導電性は得られず、それ自体を電極として使用するには抵抗損失が大きい。その為ガス拡散層表面には金、ＳＵＳ、アルミ、ニッケル等の金属部材やカーボンで構成される集電部材が配置され、小さな抵抗損失で集電を行う。ここでは触媒層とＧＤＬと集電部材を含めたものをまとめて燃料電池の電極として扱い、水素が供給される側の電極を燃料極１１、空気が供給される側の電極を酸化剤極１２として扱う。
【００４８】
酸化剤極１２には発電の燃料として酸素が供給される。その為、酸化剤極１２は大気開放されているか、図示しない酸化剤供給装置が接続されるが、本発明においては酸化剤極への酸素供給源はどちらでも構わない。大気開放している場合、図１に示すように発電部１の筐体外面には、酸化剤極１２と発電部１外部を連通し空気を取り込む為の空気供給口１３ａが備えられている。
【００４９】
燃料供給部２には燃料２１が貯蔵されるが、燃料２１の例としては燃料そのものである水素の他に、水素化ホウ素ナトリウム・水素化アルミ等の金属化合物、天然ガス・メタノール・エタノール等の化石燃料等が適用される。金属化合物の場合には燃料供給部２の内部で加水分解を行い燃料となる水素を取り出し、化石燃料の場合には燃料供給部２の内部でオートサーマル反応やシフト反応等で水素を取り出す。その為燃料供給部２は燃料２１として水素を貯蔵する場合は高圧ボンベや水素吸蔵合金ボンベ、反応させて水素を取り出す燃料前駆体を貯蔵する場合は水素発生機となる。また燃料供給部２は発電部１から着脱可能なカートリッジ形式となっている。
【００５０】
発電時には燃料供給部２から発電部１へと供給された水素は燃料極１１に到達する。燃料極１１に到達した水素は触媒上でプロトンと電子へと変わる。燃料極１１で生成され、電解質膜１３を通り酸化剤極１２に運搬されたプロトンは、酸化剤極１２に供給された酸素と外部回路を移動してきた電子と結合し、酸化剤極１２側で水を生成する。酸化剤極１２側で生成された水の多くは空気中へと蒸発するが、一部は電解質膜１３を通して燃料極１１側へと浸透する。
【００５１】
図２、４を用いて、燃料極内の気体のパージ機構を説明する。
図４（ａ）、（ｂ）に示すように排出室３には可動部３３が備えられており、可動部３３が移動する事により排出室３の内部容積は変化する。また図２に示すように、可動部３３には排出室３内部の気体のリークがないよう、排出室の壁面との間にパッキン３３１を有する事が望ましい。図４（ａ）のように内部容積が小さい時の可動部３３の位置を第１位置、図４（ｂ）のように内部容積が大きい時の可動部３３の位置を第２位置とする。排出室３と発電部１は接続流路３１を介して連通している為、可動部３３が第１位置から第２位置へと移動した際には排出室３の内部圧力が低下し、それに伴い発電部１の燃料極１１に存在する水素を含む気体は排出室３へと移動する。また可動部３３は燃料供給部２と連結されており、燃料供給部２を取り外す時に第１位置から第２位置に、装着する時に第２位置から第１位置へと移動する。
【００５２】
本発明における燃料電池のように発電中には発電部１の外部へ燃料気体の排出及び循環を行わないデッドエンド構造の燃料電池では、長時間の発電を行った際には燃料極１１側へと浸透した水が発電領域の触媒層を覆ってしまい燃料の供給が阻害される事により発電が困難な状況となる。また電解質膜１３を通して空気中の窒素等の気体が燃料極１２へと浸透し、浸透した気体が燃料極１１を満たすことによって触媒層に対する水素の供給が阻害されるといった現象も生じる。上記現象に対し、本発明によれば簡易な構成で短時間で燃料極１１のパージを行う事が出来る。
【００５３】
また燃料流路２２上に備えられ開状態と閉状態の２状態を有し燃料２１の供給の流れを遮蔽する燃料弁２３を有することで、パージ作業中における燃料極１１の中への外部気体の侵入を防止することが出来る。燃料弁２３は発電をしていない状態及び燃料供給部２が発電部１に対して装着されていない状態では閉状態となっている事が望ましい。また接続流路３１上に、開閉する事によって燃料２１の流通状態を切り替える接続弁３２を設置する事で、排出室３と発電部１を遮断することが出来る。その為排出室３へと移動した水素を含む不純気体が発電部１へ逆流することを防止することが出来る。さらに排出室３に排出弁３５を備えることで、排出弁３５が開状態のときに排出室３内部の不純気体を発電部１の外部へと放出する事が出来る。そのため、上記パージ作業を繰り返し行う事が可能となる。接続弁３２、排出弁３５の例としては手動で開閉を切り替える手動弁、燃料電池の運転状態を検知して開閉を制御する電磁弁や電動弁等があげられる。
【００５４】
次に、図５（ａ）、（ｂ）、（ｃ）、図６を用いて本発明を燃料電池１の運転状況へ適用した例を説明する。
【００５５】
先述のように発電部１を大気中で長期保存した際には大気中の酸素や窒素等の気体が燃料極１１中を満たす。また発電部１を運転させた際には酸化剤極１２で生じた水が電解質膜１３を通して燃料極１１内に溜まる。発電部１を運転させる前には接続弁３２を開状態、燃料弁２３と排出弁３５を閉状態とする（図５（ａ）、図６ステップＳ１）。その後燃料供給部２の取り外し作業を行うと、その動作に係る力が伝達部３４を介して可動部３３に伝達されて可動部３３が第１位置から第２位置へと移動する（図６ステップＳ２）。排出室３は内部容積が膨張する事によって内部圧力は減圧され、燃料極１１の内部の気体が排出室３へと流入する。なお排出弁３５は閉状態である為、排出室３の内部に発電部１外部の気体が流入することはない。またステップＳ２における減圧作業に伴い燃料極１１及び排出室３の内部圧力が陰圧状態となっていても、燃料弁２３が閉状態なので燃料極１１及び排出室３の内部に発電部１外部の気体が流入することはない。次に燃料供給部２を新規品へと交換し（図６ステップＳ３）、排出弁３５を開状態に、接続弁３２を閉状態に切り替える（図５（ｂ）、図６ステップＳ４）。なおステップＳ３とステップＳ４は順序が逆転しても本発明の効果は同等に得る事が出来る。続いて燃料供給部２を発電部１に対して装着すると、その動作に係る力が伝達部３４を介して可動部３３に伝達されて可動部３３が第２位置から第１位置へと移動する（図６ステップＳ５）。排出室３は内部容積が減少する事によって内部圧力は上昇し、陽圧となると排出室３内の気体は排出弁３５を通して発電部１の外部へと放出される。その後接続弁３２又は排出弁３５を閉状態とし、燃料弁２３を開状態とすることで発電部１内部の燃料極１１と燃料供給部２と燃料流路２２は外部と遮断された状態となり（図５（ｃ）、図６ステップＳ６）、その後発電状態に移行する（図６ステップ７）。
【００５６】
またステップＳ６において構成上は接続弁３２と排出弁３５はそのどちらかが閉状態となることで発電部１と外部を隔離することが出来るが、燃料極１１のより確実なパージを行う為に、望ましくは接続弁３２と排出弁３５の両方を閉状態とする。
【００５７】
ステップＳ５の直後は排出室３の内部には排出されきれなかった燃料極１１内から吸い出した水素と窒素等の不純気体が、大気圧の状態で存在している場合がある。ステップＳ６において接続弁３２が閉状態で排出弁３５が開状態であるときには拡散移動によって水素が排出室３の外部へ移動して排出室３の内部は空気が大気圧で存在する状態、即ちステップＳ５の直後よりも不純気体量が多い状態となる。ここで次のパージ動作においてステップＳ１からステップＳ４の間の時間が長くかかってしまうと、排出室３の内部気体は燃料極１１内部へ拡散移動する。この時、排出室３の内部に不純気体が少ない程、パージ後の燃料極１１の水素分圧は高く保つことが出来る。
【００５８】
またステップＳ６において接続弁３２が開いていて排出弁３５が閉じている場合には、ステップＳ５において可動部３３が第２位置から第１位置へ移動した後には排出室３内部の不純気体の多くは排出弁３５から排出されるが完全に排出する事は難しく、その一部は排出室３３内部に残ってしまう。ステップＳ６において接続弁３２が開いていると排出室３３内部の不純気体が燃料極１１に逆流してしまう。上記の問題を解決する為に、ステップＳ６において接続弁３２と排出弁３５は共に閉状態である事が望ましい。
【００５９】
また接続弁３２は燃料極１１から排出室３への気体の移動のみを行う逆止弁、若しくは排出弁３５は排出室３から発電部１外部への気体の移動のみを行う逆止弁であっても良い。接続弁３２又は排出弁３５が逆止弁の場合には手動弁や電動弁の場合と同様の効果が得られるばかりでなく、開閉状態を切り替える必要がない為に作業手順の簡略化が望める。
【００６０】
かかる特徴によれば、燃料極１１内部の不純気体を排出室３へ吸いだす事で、短時間で燃料極１１内の不純気体濃度を低くする事が出来る。また燃料供給部２を交換する際に燃料極１１内の不純気体のパージを行う為、簡便な操作及び構造でパージを行う事が出来る。
【００６１】
また本実施の形態において、燃料供給部２が発電部１に接続されている時に可動部３３は第１位置の状態であるが、図７に示すように燃料供給部２が発電部１に接続されている時に第２位置の状態であっても良い。その場合は、図８に示すステップとなる。発電部１を運転させる前には排出弁３５を開状態、接続弁３２と燃料弁２３を閉状態とする（図８ステップＳ１）。その後燃料供給部２の取り外し作業を行うと、その動作に係る力が伝達部３４を介して可動部３３に伝達されて可動部３３が第２位置から第１位置へと移動する（図８ステップＳ２）。排出室３は内部容積が減少して内部圧力が上昇し、陽圧になると排出室３内の気体は排出弁３５を通して発電部１の外部へと放出される。次に燃料供給部２を新規品へと交換し（図８ステップＳ３）、接続弁３２を開状態、排出弁３５・燃料弁２３を閉状態にする（図８ステップＳ４）。なお、ステップＳ３とＳ４は順序が逆転しても同様の効果を得る事が出来る。続いて燃料供給部２を発電部１に装着すると、その動作に係る力が伝達部３４を介して伝達され、可動部３３は第１位置から第２位置へと移動する（図８ステップＳ５）。排出室３は内部容積が膨張する事によって内部圧力が減圧し、燃料極１１の内部の気体が排出室３へと流入する。その後接続弁３２を閉状態とし、燃料弁２３を開状態とすることで発電部１は発電状態に移行する事が出来る（図８ステップＳ６、Ｓ７）。
よって図７のような構成においても同様の効果を得る事が出来る。
【００６２】
（実施の形態２）
図９に本実施の形態２における燃料電池２００の概略構成図を示す。
本実施の形態１と同一の部分については同一の符号を付し、同様な構成、動作については説明を省略する。
【００６３】
本実施の形態２における燃料電池２００は、開閉が可能であり燃料供給部２を覆う蓋体２３を備えている。
【００６４】
燃料供給部２は燃料２１を継ぎ足して利用が可能な燃料タンク、または着脱可能なカートリッジ形式でも良い。
【００６５】
カートリッジ交換や燃料の継ぎ足し等の燃料供給部２に係る操作をする場合には蓋体２３を一度開けなければならない。また可動部３３は蓋体２３と伝達部３４を介して繋がっており、蓋体２４を開いたとき可動部は第１位置から第２位置へ移動し、蓋体２４を閉じたとき可動部は第２位置から第１位置に移動する。可動部３３は燃料供給部２が発電部１に装着されている状態では第１位置にある。
【００６６】
図９では蓋体２４の移動と同じ方向に可動部３３が移動するが、異なる方向に可動部３３が移動する例を図１０（ａ）、（ｂ）に示す。図１０（ａ）は蓋体２４が閉状態、図１０（ｂ）は蓋体２４が開状態であり、蓋体２４が円筒の排出室を軸にして破線矢印で示すように回転運動をする事によって開閉をおこなう。
【００６７】
図１１に可動部３３の概略図、図１２（ａ）、（ｂ）に排出室３の断面図を示す。図１１、図１２、図１３を用いて本実施の形態における可動部３３の構造を説明する。図１１に示すように可動部３３は円筒形であり、発電部１と蓋体２４の一部に設けられた円筒形の空洞にはまる事によって排出室３を形成する。また蓋体２４の空洞内面には突出している伝達部３４が備えられている。伝達部３４は可動部３３に設けられた螺旋状の溝の被伝達部３４ａに収まっている。また可動部３３には軸方向にあけられた固定溝３４ｂが備えられており、発電部１の空洞内面に突出するよう設けられた固定凸部３４ｃが収まる。その為、蓋体２４を回転させ開状態にすると、固定溝３４ｂは回転をしない発電部１の固定凸部３４ｃによって回転方向への動きは制限される為、被伝達部３４ａの溝が伝達部３４の位置に対応するべく可動部３３が上方へ移動し第２位置へと移動する。
【００６８】
図１２及び図１３に示す動作手順を用いて本実施の形態における可動部３３の動作を説明する。
【００６９】
図１２（ａ）は蓋体２４が閉状態の時であり、可動部３３は第１位置となり排出室３の容積は最小となっている。その状態で接続弁３２を開状態、排出弁３５及び燃料弁２３を閉状態にする（図１３ステップＳ１）。その後蓋体２４を開状態へと移行する（図１２（ｂ）図１３ステップＳ２）。可動部３３の移動に伴い排出室３は体積が膨張する事によって減圧し、燃料極１１中の気体が排出室３へと移動する。蓋体２４が完全に開状態になった後、燃料供給部２の交換や燃料供給部２に対する燃料２１の補給等の燃料供給部２に係る作業をし（図１３ステップＳ３）、排出弁３５を開状態、接続弁３２を閉状態へと切り替える（図１３ステップＳ４）。なお、ステップＳ３とステップＳ４は順序が逆となっても本発明の効果を同様に得る事ができる。その後蓋体２４を閉じるとステップＳ２とは逆の作用で可動部３３が第２位置から第１位置へ移動する（図１３ステップＳ５）。排出室３３の内部容積は減少し、内部気体が圧縮されて高圧になり陽圧になると排出弁３５から発電部１外部へ排出される。その後燃料弁２３を開状態、排出弁又は接続弁を閉状態とし（図１３ステップＳ６）、発電部１を発電状態へと移行させる（図１３ステップ７）。
【００７０】
なお、伝達部３４が発電部１の空洞内面、固定凸部３４ｃが蓋体２４の空洞内面に設けられていても蓋体２４の操作と可動部３３の動きは変わらず同様の効果を得られる。
【００７１】
また本実施の形態において蓋体２４が閉状態である時に第１位置の状態であるが、図１４（ａ）、（ｂ）に示すように蓋体２４が閉状態である時に第２位置の状態であっても良い。その場合図１４に示すフロー図ように、ステップＳ１、ステップＳ４、ステップＳ６の弁に係る操作手順が変わる。
【００７２】
かかる特徴によれば実施の形態１に示すように燃料供給部２がカートリッジ形式である場合だけではなく、燃料タンクのような燃料２１を継ぎ足して使用する方式においても短時間で簡便な操作及び構造で燃料極１１内の不純気体濃度を低くする事が出来る。
【００７３】
（実施の形態３）
図１５に本実施の形態３における燃料電池３００の概略構成図を示す。また図１６（ａ）、（ｂ）は図１５中の点線部分の断面を一部簡略化したものである。
【００７４】
本実施の形態１及び２と同一の部分については同一の符号を付し、同様な構成、動作については説明を省略する。本実施の形態は燃料電池３００で発電した電力で駆動する使用機器４５と発電部１をつなぐ電気回路４４にスイッチ４を設けた構成である。スイッチ４は手動部４１と接触部４２と被接触部４３とから構成される。手動部４１の一部は発電部１の外部へと露出しており、燃料電池３００の使用者によって移動できる可動構造体である。また手動部４１は伝達部３４を介して可動部３３と連結しており、手動部４１を操作するのに伴って可動部３３は第１位置と第２位置間を移動する。接触部４２は開回路状態では被接触部４３から離間した状態で保たれており、その一部が可動部３３の移動範囲に存在している（図１６（ａ））。そのため接触部４２は第２位置になった状態のときの可動部３３と一部が接触する事で根元が撓み、被接触部４３と接触して上記電気回路は閉回路状態となる（図１６（ｂ））。
【００７５】
図１７に示す動作手順を用いて本実施の形態における可動部３３の動作を説明する。電気回路４４が開回路状態では燃料電池３００は発電をしておらず、可動部３３は第１位置で保持されている。燃料電池３００を発電させる際には先ず接続弁３２を開状態、燃料弁２３及び排出弁３５を閉状態にする（図１７ステップＳ１）。ステップＳ１終了後、スイッチ４をオン状態に移行すると、手動部４１の移動に伴って可動部３３が第１位置から第２位置へ移動し燃料極１１内部の気体が排出室３へ移動する（図１７ステップＳ２）。そして燃料弁２３を開状態、接続弁３２を閉状態として気体の逆流防止を確保した後（図１７ステップＳ３）、燃料電池３００は発電が可能な状態となる（図１７ステップＳ４）。また発電中には排出弁３５は開状態と閉状態のどちらでも良い。発電を終えると排出弁３５を開状態に、燃料弁２３及び接続弁３２を閉状態にする（図１７ステップＳ５）。その後スイッチ４を開回路状態に移行すると、手動部４１の移動に伴って可動部３３が第２位置から第１位置へと移動し、排出室３内部の気体を発電部１外部へと押し出す（図１７ステップＳ６）。またこのとき可動部３３が接触部４２との干渉エリアから移動する事で接触部４２は被接触部４３と離間し、電気回路４４は開回路状態となる。ステップＳ６によって排出室３の内部は大気圧以下となり、再び燃料電池３００を発電させる際に燃料極１１の気体の吸引を再現することが出来る。
【００７６】
本実施の形態によれば燃料供給部２内の燃料２１の状態に係らず、短時間で簡便な操作及び構造で燃料極１１内の不純気体濃度を低くする事が出来る。
【００７７】
（実施の形態４）
図１８に本実施の形態４における燃料電池４００の概略構成図を示す。本実施の形態１乃至３と同一の部分については同一の符号を付し、同様な構成、動作については説明を省略する。
【００７８】
本実施の形態における燃料電池４００は発電した電力を使用して駆動する使用機器４５との電気回路４４上に該回路が閉回路と開回路状態を切り替えるスイッチ５２を備えている。また発電部１で発電した電力を蓄積する蓄電部５３と、蓄電部５３に蓄えられた電力によって前記可動部３３を移動させる電動部５４を有する。蓄電部５３の例としては二次電池やキャパシタ等が挙げられる。また電動部５４の例としては、油空圧で駆動するアクチュエータ、モータ、電磁石によるソレノイドアクチュエータ等が挙げられるが、電力を動力源として駆動するデバイスであれば前記例に限らない。さらに電気回路４４にはスイッチ５２の状態を検出し、蓄電部５３から電動部５４への電力供給を制御する制御部５１を備える。
【００７９】
図１９に示す燃料電池４００の動作手順を用いて本実施の形態における可動部３３の動作を説明する。燃料電池４００が運転していない状態では、電解質膜１３を通して燃料極１１に外部気体が侵入している。燃料電池４００を停止状態から運転状態に切り替わる際には接続弁３２は開状態、排出弁３５及び燃料弁２３は閉状態である（図１９ステップＳ１）。その後燃料電池４００を運転させる為にスイッチ５２を閉回路状態へと切り替える（図１９ステップＳ２）。スイッチ５２が閉回路状態に切り替わったことを検出した制御部５１は蓄電部５３から電力を供給して電動部５４を駆動させ、可動部３３を第１位置から第２位置へと移動させる（図１９ステップＳ３）。またステップＳ１はステップＳ３の直前のタイミングで行っても良い。排出室３の容積が膨張した事で内部圧力は減圧し、接続流路３１を介して燃料極１１の内部気体は排出室３へ移動する。その後燃料弁２３を開状態にし、排出弁３５と接続弁３２を閉状態にする（図１９ステップＳ４）。それにより事で排出室３の気体の逆流の防止と燃料供給部２から燃料極１１への水素の供給が出来る状態となり発電を行う事が出来る（図１９ステップＳ５）。発電を終えて燃料電池４００を再び停止状態にする前には燃料弁２３と接続弁３２を閉状態、排出弁３５を開状態にする（図１９ステップＳ６）。その後スイッチ５２を開回路状態に切り替えると、スイッチ５２の変化を制御部５１が検出する（図１９ステップＳ７）。スイッチ５２が開回路状態に切り替わったことを検出した制御部５１は、蓄電部５３に蓄えられた電力を利用して電動部５４を駆動させ、可動部３３を第２位置から第１位置へと移動させる（図１９ステップＳ８）。またステップＳ６はステップＳ８の直前のタイミングで行っても良い。
【００８０】
また本実施の形態には燃料電池４００に蓄電部５３が備えられている為、燃料弁２３、接続弁３２、排出弁３５の開閉切替を蓄電部５３に蓄えられている電力を用いて実施しても良い。その場合燃料弁２３、接続弁３２、排出弁３５にはソレノイドを利用した電磁弁やモータを用いた電動弁等が使用される。
【００８１】
本実施の形態によれば燃料電池４００を運転する際には制御部５１によって必ずパージ動作がなされる為、短時間で、より簡便な操作及び構造でパージを行う事が出来る。
【００８２】
以上、本発明の一例を説明したが、具体例を説明したに過ぎない。特に本発明を限定するものではなく、各部の具体的構成等は適宜変更可能である。また、各実施の形態及び変更例の作用効果は、本発明から生じる最も好適な作用及び効果を列挙したに過ぎず、本発明による作用及び効果は、各実施の形態及び変更例に記載されたものに限定されるものではない。
【符号の説明】
【００８３】
１００，２００，３００，４００：燃料電池
１：発電部
１ａ：単セル
２：燃料供給部
３：排出室
１１：燃料極
１２：酸化剤極
１３：電解質膜
１３ａ：空気供給口
２１：燃料
２２：燃料流路
２３：燃料弁
２４：蓋体
３１：接続流路
３２：接続弁
３３：可動部
３４：伝達部
３５：排出弁
４：スイッチ
４１：手動部
４２：接触部
４３：被接触部
４４：電気回路
４５：使用機器
５１：制御部
５２：スイッチ
５３：蓄電部
５４：電動部
【図１】
2011165518.tif 000003
【図２】
2011165518.tif 000004
【図３】
2011165518.tif 000005
【図４】
2011165518.tif 000006
【図５】
2011165518.tif 000007
【図６】
2011165518.tif 000008
【図７】
2011165518.tif 000009
【図８】
2011165518.tif 000010
【図９】
2011165518.tif 000011
【図１０】
2011165518.tif 000012
【図１１】
2011165518.tif 000013
【図１２】
2011165518.tif 000014
【図１３】
2011165518.tif 000015
【図１４】
2011165518.tif 000016
【図１５】
2011165518.tif 000017
【図１６】
2011165518.tif 000018
【図１７】
2011165518.tif 000019
【図１８】
2011165518.tif 000020
【図１９】
2011165518.tif 000021